(57)【要約】【課題】基板の一部又は全部に荷重が加わった場合に、電流路が遮断される部分が特定され、二次電池を充放電が不可能である状態にすることができる保護回路基板、及び該保護回路基板を備える電池パックを提供する。【解決手段】電池２の蓋部２２には負極端子３が設けられ、底面にはリード取付板１０及びリード８を樹脂モールドして、基板ホルダ６が設けられている。保護回路基板７の基板７１の裏面には保護回路を樹脂モールドしてなるモールド部７２が設けられている。基板ホルダ６の表面には矩形状の凹部６ｂが設けられ、モールド部７２の表面には矩形状の切り欠き部９１が設けられている。保護回路基板７は、切り欠き部９１が凹部６ｂに対向する状態で基板ホルダ６に配される。基板１に荷重が加わった場合、切り欠き部９１からモールド部７２に割れが生じ、切り欠き部９１の内側のワイヤが切断される。【選択図】図１
2010027518.tif 000002
【特許請求の範囲】
【請求項１】
基板に、二次電池を充放電する電流路を開閉する半導体スイッチと、充放電の電圧を検出して前記半導体スイッチのオン／オフを制御する制御回路とを実装してなる保護回路基板において、
一部又は全部に荷重が加わった場合に、応力が集中して配線が切断される電流路遮断構造を有することを特徴とする保護回路基板。
【請求項２】
前記二次電池を充放電するための端子を備え、
前記半導体スイッチ、前記制御回路、及び配線を合成樹脂製のモールド部により封止してあり、
前記電流路遮断構造は、
前記二次電池の一方の電極に接続されているリードと、前記電極と極性が等しい方の前記端子とを接続するワイヤ、
前記制御回路に、前記二次電池又は前記端子から電力を供給するためのワイヤ、
前記二次電池の他方の電極に接続されているリードと、前記半導体スイッチとを接続するワイヤ、及び
前記他方の電極と極性が等しい方の端子と、前記半導体スイッチとを接続するワイヤ
のうちの少なくとも１つのワイヤを覆う前記モールド部の部分に設けられた切り欠き部、又は切り込み部により構成される請求項１に記載の保護回路基板。
【請求項３】
前記半導体スイッチ、前記制御回路、及び配線を合成樹脂製のモールド部により封止してあり、
前記半導体スイッチは、寄生ダイオードを有するＦＥＴであり、
前記電流路遮断構造は、前記制御回路と前記ＦＥＴと接続するワイヤを覆う前記モールド部の部分に設けられた切り欠き部、又は切り込み部により構成され、
前記制御回路は、前記ワイヤが切断された場合に、前記ＦＥＴの寄生ダイオードに流れる電流を遮断するように構成されている請求項１に記載の保護回路基板。
【請求項４】
前記半導体スイッチは、それぞれ寄生ダイオードを有する２つのＦＥＴを備え、各ＦＥＴの各ゲートが前記制御回路に接続される状態で、ドレイン同士が接続されてなり、
前記電流路遮断構造は、各ＦＥＴのゲートと前記制御回路とを接続する各ワイヤのうちの少なくとも１つのワイヤを覆う前記モールド部の部分に設けられた切り欠き部、又は切り込み部により構成され、
前記制御回路は、前記ワイヤと接続されていた一方のＦＥＴがオフ状態となった場合に、該ＦＥＴの寄生ダイオードの両端電圧を検出し、該両端電圧が前記寄生ダイオードの順方向電圧より低い閾値を超えたときに、他方のＦＥＴをオフにするように構成されている請求項３に記載の保護回路基板。
【請求項５】
前記二次電池を充放電するための端子を備え、
前記半導体スイッチは寄生ダイオードを有するＦＥＴであり、
前記電流路遮断構造は、
前記二次電池の一方の電極に接続されているリードと、該電極と極性が等しい方の前記端子とを接続する導体パターン、
前記制御回路に、前記二次電池又は前記端子から電力を供給するための導体パターン、
前記二次電池の他方の電極に接続されているリードと、前記半導体スイッチとを接続する導体パターン、
前記他方の電極と極性が等しい方の端子と、前記半導体スイッチとを接続する導体パターン、及び
前記制御回路と前記ＦＥＴとを接続する導体パターン
のうちの少なくとも１つの導体パターンに対応して、前記基板に設けられた切り欠き部、又は切り込み部により構成され、
前記導体パターンが前記制御回路とＦＥＴとを接続する導体パターンである場合、該導体パターンが切断されたときに、前記制御回路は、前記ＦＥＴの寄生ダイオードに流れる電流を遮断するように構成されている請求項１に記載の保護回路基板。
【請求項６】
二次電池と、
該二次電池の一面に配される請求項１乃至５のいずれかに記載の保護回路基板と
を備えることを特徴とする電池パック。
【請求項７】
二次電池と、
基板に、寄生ダイオードを有するＦＥＴからなり、前記二次電池を充放電する電流路を開閉する半導体スイッチ、前記二次電池が充放電するための端子、及び前記二次電池の充放電の電圧を検出して前記半導体スイッチのオン／オフを制御する制御回路を実装してあり、前記二次電池の一面に配される保護回路基板と、
前記二次電池及び前記保護回路基板の一部を覆う外装体と
を備える電池パックにおいて、
前記保護回路基板上の、
前記二次電池の一方の電極に接続されているリードと、該電極と極性が等しい方の前記端子とを接続する配線、
前記制御回路に、前記二次電池又は前記端子から電力を供給するための配線、
前記二次電池の他方の電極に接続されているリードと、前記半導体スイッチとを接続する配線、
前記他方の電極と極性が等しい方の端子と、前記半導体スイッチとを接続する配線、及び
前記制御回路と前記ＦＥＴとを接続する配線
のうちの少なくとも１つの配線が、
荷重が加わった場合に切断されるように、前記配線に対応する前記外装体の部分に応力が集中する電流路遮断構造を有し、
前記配線が前記制御回路とＦＥＴとを接続する配線である場合、該配線が切断されたときに、前記制御回路は、前記ＦＥＴの寄生ダイオードに流れる電流を遮断するように構成されていることを特徴とする電池パック。
【請求項８】
前記半導体スイッチ、前記制御回路、及び配線を合成樹脂製のモールド部により封止してあり、
前記配線はワイヤであり、
前記電流路遮断構造は、
前記ワイヤに対応する前記外装体の部分に設けられた突起部と、
前記ワイヤを覆う前記モールド部の部分に設けられた切り欠き部、若しくは切り込み部、及び／又は
前記ワイヤを覆う前記モールド部の部分と、該部分が対向する前記二次電池の側面側部分との間に有する間隙と
により構成される請求項７に記載の電池パック。
【発明の詳細な説明】
【技術分野】
【０００１】
本発明は、基板に、二次電池の充放電の電圧を検出して半導体スイッチのオン／オフを制御する制御回路を含む保護回路を実装してなる保護回路基板、及び該保護回路基板を二次電池の一面に配してなる電池パックに関する。
【背景技術】
【０００２】
近年、急速に普及しているビデオカメラ，モバイルコンピュータ，携帯電話機等の携帯電子機器の電源としては、充放電可能であり、円筒状、又は直方体状を有する非水電解質二次電池、例えばリチウムイオン二次電池等が主として用いられている。リチウムイオン二次電池（以下、電池という）の一例として、正極及び負極を、セパレータを介して巻回した電極群、及び非水電解質を、アルミニウム又はアルミニウム合金製であり、直方体状をなすケースに収納して構成されたものがある。
【０００３】
前記電池の一側面に、過充電及び過放電を防止するための保護回路、及び電池から外部へ電力を取り出し、又は外部から電力を取り込むための入出力端子を有する保護回路基板が配されて電池コアが構成される。保護回路基板と電池との間は接続用のリードにより電気的に接続されている。
前記電池コアの四側面を、絶縁性を有する、例えば合成樹脂製の外装枠で覆い、又は電池コアを例えば合成樹脂製の外装ケースに収納する。さらに、この電池コアの両平面と、外装枠又は外装ケースとをラベルで覆うことで電池パックが得られ、この電池パックが携帯電子機器に装着される。
【０００４】
前記電池において過充電又は過放電が生じた場合には、電池内部のガス圧力が上昇し、電池が破裂してしまう虞がある。特許文献１には、電池内部のガス圧力の上昇により電池ケースが膨張変形した場合に、電池ケースの壁面の電池の一方の電極と外部回路との間に形成された導体パターンが応力により破壊されて、電流路が遮断され、電池が使用不可能になるように構成された電池の発明が開示されている。
【０００５】
特許文献１の電池には、上述の保護回路基板は取り付けられていない。
電池の一面に保護回路基板を配した電池パックにおいては、保護回路の制御回路が、充放電の電池電圧を検出して半導体スイッチのオン／オフを制御することで、充放電を制御するように構成されている。
【０００６】
図１２は、従来の電池パックの電池コアの回路を示す回路図である。
制御ＩＣ７５、放電制御ＦＥＴ７８及び充電制御ＦＥＴ７９、抵抗７６、抵抗８０、及びコンデンサ７７により保護回路が構成される。
【０００７】
従来の電池コアにおいては、電池２と直列に例えばＰＴＣ（Positive Temperature Coefficient)素子等の保護素子４が接続されており、保護素子４と接続されたリード５は、接続端子８１を介し、コンデンサ７７の一方の端子、制御ＩＣ（制御回路）７５の端子ｅ、及び放電制御ＦＥＴ７８のソースと接続されている。
放電制御ＦＥＴ７８のドレインには充電制御ＦＥＴ７９のドレインが接続されている。放電制御ＦＥＴ７８，充電制御ＦＥＴ７９はそれぞれ寄生ダイオード７８ａ，７９ａを備えている。
放電制御ＦＥＴ７８，充電制御ＦＥＴ７９のゲートは、それぞれ、制御ＩＣ７５の端子ｄ，ｃに接続されている。そして、充電制御ＦＥＴ７９のソースは、抵抗８０の一方の端子、及び入出力端子７３に接続されている。抵抗８０の他方の端子は制御ＩＣ７５の端子ｂと接続されている。
【０００８】
また、電池２の正極と接続されたリード８は、接続端子８２を介し抵抗７６の一方の端子、及び入力端子７４と接続されている。抵抗７６の他方の端子は制御ＩＣ７５の端子ａ、及びコンデンサ７７の他方の端子に接続されている。
【０００９】
制御ＩＣ７５は、電池電圧を検出し、充電の場合、検出した電圧が最高設定電圧よりも高いときには、充電制御ＦＥＴ７９をオフに切り換えて、電池２の過充電を防止する。また、放電の場合、検出した電圧が最低設定電圧よりも低いときには、放電制御ＦＥＴ７８をオフに切り換えて、電池２の過放電を防止する。
【００１０】
放電制御ＦＥＴ７８、及び充電制御ＦＥＴ７９は、それぞれ寄生ダイオード７８ａ，７９ａを有するので、逆向きに流れる電流はオン状態に保持される。すなわち、充電制御ＦＥＴ７９がオフになった状態で、電池２の放電を可能とし、放電制御ＦＥＴ７８がオフになった状態で、電池２の充電を可能とする。
【特許文献１】特許第３２４９８８３号公報
【発明の開示】
【発明が解決しようとする課題】
【００１１】
従来の電池パック、又は電池パックを収納した携帯電子機器が、使用時に落下する等して保護回路基板に荷重が加わり、保護回路基板にクラックが生じた場合、このクラックが生じる部分を特定することができず、切断される配線を特定することができないという問題があった。図１２の回路図において、充放電の電流路が遮断されることで、電池２の充放電ができなくなる配線が切断された場合は、電池２が使用不可能となるので問題はない。
【００１２】
しかし、例えば図中の配線（５），（６），（７）等の配線が切断された場合は、電池２の安全性の確保が不十分になる虞があった。
配線（５）が切断された場合、放電制御ＦＥＴ７８は制御ＩＣ７５から信号を受信できず、オフ状態を維持するので、放電はできない。しかし、寄生ダイオード７８ａは充電可能の状態であるので、異常が生じた電池２につき充電できることになる。この場合、過充電が生じた場合に、放電して対応することができない。
同様に、配線（６）が切断された場合、充電制御ＦＥＴ７９は制御ＩＣ７５から信号を受信できず、オフ状態を維持するので、充電はできない。しかし、寄生ダイオード７９ａは放電可能の状態であるので、異常が生じた電池２につき放電できることになる。この場合、過放電が生じた場合に、充電して対応することができない。
【００１３】
制御ＩＣ７５の中には、端子ｂ−ｅ間、すなわち寄生ダイオード７８ａ（又は寄生ダイオード７９ａ）の両端電圧を測定する電圧測定回路を有し、該両端電圧が閾値を超えた場合に、過電流を検出したとして、充電制御ＦＥＴ７９（又は放電制御ＦＥＴ７８）をオフにする充電過電流制御及び放電過電流制御機能を有しているものがある。従って、前記配線（５），（６）が切断され、充電又は放電が行われている場合に、充電電流又は放電電流を遮断することができる。しかし、配線（７）が切断された場合、前記両端電圧を検出することができず、充電過電流制御及び放電過電流制御機能が働かないことになり、充電電流又は放電電流を遮断できないことになる。
【００１４】
本発明は斯かる事情に鑑みてなされたものであり、一部又は全部に荷重が加わった場合に、電流路が遮断される部分が特定され、二次電池を充放電が不可能である状態にすることができる保護回路基板、及び該保護回路基板を備え、良好な安全性を有する電池パックを提供することを目的とする。
【課題を解決するための手段】
【００１５】
第１発明に係る保護回路基板は、基板に、二次電池を充放電する電流路を開閉する半導体スイッチと、充放電の電圧を検出して前記半導体スイッチのオン／オフを制御する制御回路とを実装してなる保護回路基板において、一部又は全部に荷重が加わった場合に、応力が集中して配線が遮断される電流路遮断構造を有することを特徴とする。
【００１６】
本発明においては、基板の一部又は全部に荷重が加わった場合に、応力が集中する電流路遮断構造を有するので、クラックが生じる保護回路基板の部分を限定して、電流路が遮断される部分を特定し、二次電池を充放電が不可能である状態にすることができる。
【００１７】
第２発明に係る保護回路基板は、第１発明において、前記二次電池を充放電するための端子を備え、前記半導体スイッチ、前記制御回路、及び配線を合成樹脂製のモールド部により封止してあり、前記電流路遮断構造は、前記二次電池の一方の電極に接続されているリードと、前記電極と極性が等しい方の前記端子とを接続するワイヤ、前記制御回路に、前記二次電池又は前記端子から電力を供給するためのワイヤ、前記二次電池の他方の電極に接続されているリードと、前記半導体スイッチとを接続するワイヤ、及び前記他方の電極と極性が等しい方の端子と、前記半導体スイッチとを接続するワイヤのうちの少なくとも１つのワイヤを覆う前記モールド部の部分に設けられた切り欠き部、又は切り込み部により構成されることを特徴とする。
【００１８】
本発明においては、基板の一部又は全部に荷重が加わった場合に、モールド部に設けられた切り欠き部又は切り込み部に応力が集中し、該切り欠き部又は切り込み部からモールド部に割れが生じ、ワイヤが切断される。ワイヤが切断された場合、二次電池の充放電が不可能となる。
【００１９】
第３発明に係る保護回路基板は、第１発明において、前記半導体スイッチ、前記制御回路、及び配線を合成樹脂製のモールド部により封止してあり、前記半導体スイッチは、寄生ダイオードを有するＦＥＴであり、前記電流路遮断構造は、前記制御回路と前記ＦＥＴと接続するワイヤを覆う前記モールド部の部分に設けられた切り欠き部、又は切り込み部により構成され、前記制御回路は、前記ワイヤが切断された場合に、前記ＦＥＴの寄生ダイオードに流れる電流を遮断するように構成されていることを特徴とする。
【００２０】
本発明においては、基板の一部又は全部に荷重が加わった場合に、モールド部に設けられた切り欠き部又は切り込み部に応力が集中し、該切り欠き部又は切り込み部からモールド部に割れが生じ、ワイヤが切断される。
ワイヤが切断されることで、充電（又は放電）することができなくなるが、ＦＥＴが有する寄生ダイオードにより放電（又は充電）することはできる。本発明においては、この場合に、制御回路が寄生ダイオードに流れる電流を遮断するように構成されているので、二次電池は充放電が不可能な状態となる。
【００２１】
第４発明に係る保護回路基板は、第３発明において、前記半導体スイッチは、それぞれ寄生ダイオードを有する２つのＦＥＴを備え、各ＦＥＴの各ゲートが前記制御回路に接続される状態で、ドレイン同士が接続されてなり、前記電流路遮断構造は、各ＦＥＴのゲートと前記制御回路とを接続する各ワイヤのうちの少なくとも１つのワイヤを覆う前記モールド部の部分に設けられた切り欠き部、又は切り込み部により構成され、前記制御回路は、前記ワイヤと接続されていた一方のＦＥＴがオフ状態となった場合に、該ＦＥＴの寄生ダイオードの両端電圧を検出し、該両端電圧が前記寄生ダイオードの順方向電圧より低い閾値を超えたときに、他方のＦＥＴをオフにするように構成されていることを特徴とする。
【００２２】
本発明においては、制御回路と放電（又は充電）を制御するＦＥＴとを接続するワイヤが切断された場合、前記ＦＥＴは制御回路から信号を受けられず、オフ状態を維持するので、二次電池は放電（又は充電）することができない。また、充電（又は放電）を試みた場合、寄生ダイオードの両端電圧の設定閾値が順方向電圧より低いので、充電過電流（又は放電過電流）が検出され、他方のＦＥＴがオフされることになり、充電（又は放電）もすることができない。従って、二次電池の充放電が不可能となる。
【００２３】
第５発明に係る保護回路基板は、第１発明において、前記二次電池を充放電するための端子を備え、前記半導体スイッチは寄生ダイオードを有するＦＥＴであり、前記電流路遮断構造は、前記二次電池の一方の電極に接続されているリードと、該電極と極性が等しい方の前記端子とを接続する導体パターン、前記制御回路に、前記二次電池又は前記端子から電力を供給するための導体パターン、前記二次電池の他方の電極に接続されているリードと、前記半導体スイッチとを接続する導体パターン、前記他方の電極と極性が等しい方の端子と、前記半導体スイッチとを接続する導体パターン、及び前記制御回路と前記ＦＥＴとを接続する導体パターンのうちの少なくとも１つの導体パターンに対応して、前記基板に設けられた切り欠き部、又は切り込み部により構成され、前記導体パターンが前記制御回路とＦＥＴとを接続する導体パターンである場合、該導体パターンが切断されたときに、前記制御回路は、前記ＦＥＴの寄生ダイオードに流れる電流を遮断するように構成されていることを特徴とする。
【００２４】
本発明においては、基板の一部又は全部に荷重が加わった場合に、基板に設けられた切り欠き部又は切り込み部に応力が集中し、該切り欠き部又は切り込み部から基板にクラックが生じ、対応する導体パターンが切断される。導体パターンが切断された場合、二次電池の充放電が不可能となる。
【００２５】
第６発明に係る電池パックは、二次電池と、該二次電池の一面に配される第１乃至第５発明のいずれかの保護回路基板とを備えることを特徴とする。
【００２６】
本発明においては、電池パックの一部又は全部に荷重が加わった場合に、保護回路基板のモールド部若しくは基板に設けられた、切り欠き部又は切り込み部に応力が集中し、該切り欠き部又は切り込み部からモールド部若しくは基板にクラックが生じ、対応するワイヤ又は導体パターンが切断される。
従って、電池パックを充放電することが不可能となり、電池パックが危険な状態になることが防止される。
【００２７】
第７発明に係る電池パックは、二次電池と、基板に、寄生ダイオードを有するＦＥＴからなり、前記二次電池を充放電する電流路を開閉する半導体スイッチ、前記二次電池が充放電するための端子、及び前記二次電池の充放電の電圧を検出して前記半導体スイッチのオン／オフを制御する制御回路を実装してあり、前記二次電池の一面に配される保護回路基板と、前記二次電池及び前記保護回路基板の一部を覆う外装体とを備える電池パックにおいて、前記保護回路基板上の、前記二次電池の一方の電極に接続されているリードと、該電極と極性が等しい方の前記端子とを接続する配線、前記制御回路に、前記二次電池又は前記端子から電力を供給するための配線、前記二次電池の他方の電極に接続されているリードと、前記半導体スイッチとを接続する配線、前記他方の電極と極性が等しい方の端子と、前記半導体スイッチとを接続する配線、及び前記制御回路と前記ＦＥＴとを接続する配線のうちの少なくとも１つの配線が、荷重が加わった場合に切断されるように、前記配線に対応する前記外装体の部分に応力が集中する電流路遮断構造を有し、前記配線が前記制御回路とＦＥＴとを接続する配線である場合、該配線が切断されたときに、前記制御回路は、前記ＦＥＴの寄生ダイオードに流れる電流を遮断するように構成されていることを特徴とする。
【００２８】
本発明においては、外装体に荷重が加わった場合に、応力が集中する電流路遮断構造を有するので、電流路が遮断される部分を特定することができ、二次電池を充放電不可能の状態にすることができる。
【００２９】
第８発明に係る電池パックは、第７発明において、前記半導体スイッチ、前記制御回路、及び配線を合成樹脂製のモールド部により封止してあり、前記配線はワイヤであり、前記電流路遮断構造は、前記ワイヤに対応する前記外装体の部分に設けられた突起部と、前記ワイヤを覆う前記モールド部の部分に設けられた切り欠き部、若しくは切り込み部、及び／又は前記ワイヤを覆う前記モールド部の部分と、該部分が対向する前記二次電池の側面側部分との間に有する間隙とにより構成されることを特徴とする。
【００３０】
本発明においては、外装体に荷重が加わった場合に、良好に応力が集中して、ワイヤが切断され、二次電池を充放電不可能の状態にすることができる。
【発明の効果】
【００３１】
本発明の保護回路基板によれば、基板の一部又は全部に荷重が加わった場合に、応力が集中する電流路遮断構造を有するので、クラックが生じる部分を限定して電流路が遮断される部分を特定し、二次電池を充放電が不可能である状態にすることができる。従って、異常が生じた二次電池を、安全な状態である間に使用不可能にすることができ、二次電池の安全性が向上する。
【００３２】
本発明の電池パックによれば、電池パックの一部又は全部に荷重が加わった場合に、応力が集中する電流路遮断構造を有するので、クラックが生じる部分を限定して電流路が遮断される部分を特定し、二次電池を充放電が不可能である状態にすることができる。従って、異常が生じた二次電池を備える電池パックを、安全な状態である間に使用不可能にすることができ、電池パックの安全性が向上する。そして、電池パックが収納された携帯電子機器の破損等を防止することができる。
【発明を実施するための最良の形態】
【００３３】
以下、本発明をその実施の形態を示す図面に基づいて具体的に説明する。
実施の形態１．
図１は、本発明の実施の形態１に係る電池パックの電池コア１を示す一部断面平面図である。図１において、保護回路は省略してある。
電池（二次電池）２は、銅集電体に負極合剤を塗布してなる負極板、及びアルミニウム集電体に正極合剤を塗布してなる正極板がセパレータを介して巻回された扁平巻状の電極群（図示せず）と、非水電解液（図示せず）とを一面開口のアルミニウム製のケース２１に収容し、ケース２１の開口をアルミニウム製の蓋部２２により閉塞してなるリチウムイオン二次電池である。
【００３４】
蓋部２２の中央部には、負極端子３が、蓋部２２を絶縁状態で貫通するように設けられている。電池２においては、蓋部２２の負極端子３が設けられた部分を除くケース２１の全体が正極端子とされている。
前記負極端子３には、リード５の第１リード５ａが溶接により接続されている。第１リード５ａの他端部には、例えばＰＴＣ等からなる保護素子４が一方のリード（図示せず）を介して接続され、保護素子４の他方のリード（図示せず）には、第２リード５ｂが接続されている。第２リード５ｂは、絶縁テープ９を介して前記蓋部２２及び側面を沿わされ、ケース２１の底面側に配された保護回路基板７のマイナス側の接続端子８１（図３参照）に接続されている。
【００３５】
保護回路基板７の例えばガラス−エポキシ材等からなる基板７１の裏面には、後述する保護回路を実装し、該保護回路を例えばエポキシ樹脂等の絶縁性の合成樹脂で覆ってなるモールド部７２が設けられている。
保護回路基板７の表面の中央部より一端部側には、負極の入出力端子（電池を充放電するための端子）７３が設けられ、入出力端子７３に隣接させて、正極の入出力端子７４が設けられている。
【００３６】
ケース２１の底面にはリード取付板１０が設けられており、該リード取付板１０に溶接により接続されたリード８は、保護回路基板７のプラス側の接続端子８２（図３参照）と接続されている。
ケース２１の底面には、リード取付板１０及びリード８を覆うように、例えばポリカーボネート（ＰＣ）樹脂等の合成樹脂を樹脂モールドすることにより、基板ホルダ６が設けられている。基板ホルダ６は、両端部に突起部６ａ，６ａを有し、表面の中央部より一端部寄りには、平面視が略矩形状をなす凹部６ｂが設けられている。
保護回路基板７は、モールド部７２の表面が基板ホルダ６に載置され、基板７１の両端部がリード５，８を介し突起部６ａ，６ａに支持される状態で、前記底面の外側に配置されている。
【００３７】
図２は、保護回路基板７を示す斜視図、図３（ａ）は保護回路基板７を示す断面図、図３（ｂ）は保護回路基板７を示す平面図、図４は、電池コア１の回路を示す回路図である。
保護回路基板７のモールド部７２の表面には、平面視が略矩形状をなし、幅方向に延びる切り欠き部９１が設けられている。本実施の形態においては、該切り欠き部９１により電流路遮断構造が構成される。保護回路基板７は、切り欠き部９１が前記基板ホルダ６の凹部６ｂに対向する状態で、基板ホルダ６に載置される。
保護回路基板７基板７１上には、例えば銅箔等からなる導体パターンＤが形成されており、該導体パターンＤ上に保護回路の各電子部品が実装されている。該基板７の基板７１の両端部には、前記接続端子８１及び前記接続端子８２が設けられ、基板７１の中央部には制御ＩＣ（制御回路）７５が実装されている。そして、接続端子８１と制御ＩＣ７５との間には、半導体スイッチとしての放電制御ＦＥＴ７８及び充電制御ＦＥＴ７９、並びに抵抗８０が実装されている。制御ＩＣ７５と接続端子８２との間には、コンデンサ７７、及び抵抗７６が実装されている。
【００３８】
制御ＩＣ７５、放電制御ＦＥＴ７８及び充電制御ＦＥＴ７９、抵抗７６、抵抗８０、及びコンデンサ７７により保護回路が構成される。
電池パック１においては、上述したように、電池２と直列に保護素子４が接続されており、保護素子４と接続されたリード５は、接続端子８１を介し、コンデンサ７７の一方の端子、制御ＩＣ７５の端子ｅ、及び放電制御ＦＥＴ７８のソースと接続されている。
放電制御ＦＥＴ７８のドレインには充電制御ＦＥＴ７９のドレインが接続されている。放電制御ＦＥＴ７８，充電制御ＦＥＴ７９はそれぞれ寄生ダイオード７８ａ，７９ａを備えている。
放電制御ＦＥＴ７８，充電制御ＦＥＴ７９のゲートは、それぞれ、制御ＩＣ７５の端子ｄ，ｃに接続されている。そして、充電制御ＦＥＴ７９のソースは、抵抗８０の一方の端子、及び入出力端子７３に接続されている。抵抗８０の他方の端子は制御ＩＣ７５の端子ｂと接続されている。
【００３９】
ここで、接続端子８１と放電制御ＦＥＴ７８とを接続する配線（図４の回路図の配線（３））の一部に、例えば金等からなる５本のワイヤ８６が用いられている。
入出力端子７３と充電制御ＦＥＴ７９とを接続する配線（図４の回路図の配線（４））の一部に、例えば金等からなる５本のワイヤ８７が用いられている。
放電制御ＦＥＴ７８，充電制御ＦＥＴ７９と、制御ＩＣ７５とを接続する配線（図４の回路図の配線（５）及び（６））の一部に、例えば金等からなるワイヤ８４，８５が用いられている。
制御ＩＣ７５とコンデンサ７７とを接続する配線（図４の回路図の配線（７））の一部に、例えば金等からなるワイヤ８９が用いられている。
【００４０】
また、電池２の正極と接続されたリード８は、接続端子８２を介し抵抗７６の一方の端子、及び入力端子７４と接続されている。抵抗７６の他方の端子は制御ＩＣ７５の端子ａ、及びコンデンサ７７の他方の端子に接続されている。
ここで、制御ＩＣ７５と、抵抗７６及びコンデンサ７７とを接続する配線（図４の回路図の配線（１））の一部に、例えば金等からなるワイヤ８３が用いられている。前記切り欠き部９１は、保護回路基板７のモールド部７２において、該ワイヤ８３に対向し、交叉するように設けられている。
また、接続端子８２と入出力端子７４とを接続する配線（図４の回路図の配線（２））の一部に、例えば金等からなる３本のワイヤ８８が用いられている。
【００４１】
制御ＩＣ７５は、電池電圧を検出し、充電の場合、検出した電圧が最高設定電圧よりも高いときには、充電制御ＦＥＴ７９をオフに切り換えて、電池２の過充電を防止する。また、放電の場合、検出した電圧が最低設定電圧よりも低いときには、放電制御ＦＥＴ７８をオフに切り換えて、電池２の過放電を防止する。
【００４２】
放電制御ＦＥＴ７８、及び充電制御ＦＥＴ７９は、それぞれ寄生ダイオード７８ａ，７９ａを有するので、逆向きに流れる電流はオン状態に保持される。すなわち、充電制御ＦＥＴ７９がオフになった状態で、電池２の放電を可能とし、放電制御ＦＥＴ７８がオフになった状態で、電池２の充電を可能とする。
【００４３】
以上のように構成された電池コア１の四側面を、絶縁性を有する、例えば合成樹脂製の外装枠（図示せず）で覆い、又は電池コア１を例えば合成樹脂製の外装ケース（図示せず）に収納し、この電池コア１の両平面と、外装枠又は外装ケースとを必要に応じラベルで覆うことで電池パックが得られる。
【００４４】
本実施の形態においては、電池パック、又は該電池パックを収納した携帯電子機器の使用時に、落下する等して保護回路基板７に荷重が加わった場合に、モールド部７２に設けられた切り欠き部９１に応力が集中し、モールド部７２は伸縮性がないため、該切り欠き部９１からモールド部７２に割れが生じ、ワイヤ８３が切断される。ワイヤ８３が切断された場合、制御ＩＣ７５に電力が供給されないので、放電制御ＦＥＴ７８、及び充電制御ＦＥＴ７９はオンされず、電池２の充放電が不可能となる。従って、電池パックが安全な状態である間に電池パックを使用不可能な状態にすることができ、電池パックの安全性が向上する。そして、携帯電子機器の破損等が防止される。
【００４５】
なお、本実施の形態においては、切り欠き部９１は、制御ＩＣ７５と放電制御ＦＥＴ７８とを接続するワイヤ８４にも対向しているので、切り欠き部９１からモールド部７２に割れが生じた場合に、ワイヤ８４も切断される可能性がある。切り欠き部９１はモールド部７２の全幅に設けられており、ワイヤ８３は基板７１の幅方向の中央部寄りに設けられているので、ワイヤ８３が切断されず、ワイヤ８４のみが切断される可能性は低い。ワイヤ８４のみが切断された場合、放電制御ＦＥＴ７８は制御ＩＣ７５から信号を受信できず、オフ状態となるが、寄生ダイオード７８ａにより電池２は充電することができる。従って、ワイヤ８３のみが特定されて切断されるように、切り欠き部９１はワイヤ８３のみに対応させて設けることにしてもよい。また、制御ＩＣ７５が、上述した充電過電流制御及び放電過電流制御を有するように構成してもよい。
【００４６】
また、本実施の形態においては、切り欠き部９１に対向するように、基板ホルダ６に凹部６ａが設けられている場合につき説明しているがこれに限定されるものではない。但し、凹部６ａが設けられている方が、切り欠き部９１からモールド部７２に割れがより生じやすいので好ましい。
そして、切り欠き部９１はワイヤ８３に交叉するように設ける場合には限定されず、切り欠き部９１に応力が集中した場合に、該切り欠き部９１からモールド部７２に割れが生じ、ワイヤ８３が切断されることが可能である方向に設けてあればよい。
【００４７】
実施の形態２．
図５（ａ）は、本発明の実施の形態２に係る電池パックの保護回路基板７を示す断面図、図５（ｂ）は、保護回路基板７を示す平面図である。図中、図３と同一部分は同一符号を付して詳細な説明を省略する。
本実施の形態に係る電池パックの電池コアにおいては、制御ＩＣ７５と、抵抗７６及びコンデンサ７７とを接続する配線に、ワイヤ８３に加えて、ワイヤ９０を設け、これに対応させて切り欠き部９６を設けていること以外は、実施の形態１に係る電池コア１と同様の構成を有する。本実施の形態においては、該切り欠き部９６により電流路遮断構造が構成される。
【００４８】
前記図３及び図６に示すように、ワイヤ８３の平面視の長さは略１ｍｍと短く、切り欠き部９１からモールド部７２にクラックが生じた場合に、図６に示すように、制御ＩＣ７５にクラックが生じる虞がある。
また、上述したように、ワイヤ８４が切断された場合、放電はできないが充電はできるという不具合が生じる。この場合、制御ＩＣ７５が過充電制御及び過放電制御機能を有していても、さらに、制御ＩＣ７５とコンデンサ７７とを接続するワイヤ８９が切断されたときには、図４の回路図の配線（７）が切断されることになり、寄生ダイオード７８ａ又は寄生ダイオード７９ａの両端電圧を測定することができず、該機能が働かないことになる。
【００４９】
本実施の形態においては、ワイヤ９０を設けることで、制御ＩＣ７５と、抵抗７６及びコンデンサ７７との配線を長くし、保護回路基板７に荷重が加わった場合に、ワイヤ８３，８４，８９ではなく、ワイヤ９０を切断するように構成している。従って、電池２が、充放電が不可能である状態になるとともに、制御ＩＣ７５等の他の電子部品が破壊されるのが防止されている。
【００５０】
実施の形態３．
図７（ａ）は、本発明の実施の形態３に係る電池パックの電池コアの保護回路基板１７を示す断面図、図７（ｂ）は、保護回路基板１７を示す平面図である。
本実施の形態においては、切り欠き部９１に代えて、切り欠き部９２，９３，９４を設けていること以外は、実施の形態１に係る電池コア１と同様の構成を有する。本実施の形態においては、前記切り欠き部９２，９３，９４により電流路遮断構造が構成される。
【００５１】
上述したように、本実施の形態においては、３本のワイヤ８８、５本のワイヤ８６、及び５本のワイヤ８７に対応させて、保護回路基板７のモールド部７２の表面に、矩形状をなし、幅方向に延びる切り欠き部９２，９３，９４が設けられている。
【００５２】
本実施の形態においては、電池パック、又は該電池パックを収納した携帯電子機器の使用時に、落下する等して保護回路基板１７に荷重が加わった場合に、モールド部７２に設けられた切り欠き部９２，９３，９４に応力が集中し、該切り欠き部９２，９３，９４からモールド部７２に割れが生じ、３本のワイヤ８８、５本のワイヤ８６、及び５本のワイヤ８７が切断されるように構成されている。
【００５３】
ワイヤ８８，８６，８７が切断された場合、図４の回路図の配線（２），（３），（４）が断線されることになり、電池２の充放電の電流路が遮断される。
従って、電池２の充放電が不可能となり、電池パックは、良好な安全性を有する。
【００５４】
なお、本実施の形態においては、モールド部７２に切り欠き部９２，９３，９４を設ける場合につき説明しているがこれに限定されるものではなく、ワイヤ８８，８６，８７のうちのいずれかを特定して切断できるように、切り欠き部９２，９３，９４のうちのいずれか１つの切り欠き部を設けることにしてもよく、２つの切り欠き部を設けることにしてもよい。
【００５５】
実施の形態４．
図８（ａ）は、本発明の実施の形態４に係る電池パックの電池コアの保護回路基板２７を示す断面図、図８（ｂ）は、保護回路基板２７を示す平面図である。図中、図３と同一部分は同一符号を付して詳細な説明を省略する。
本実施の形態に係る電池パックの電池コアは、ワイヤ８４に対応させて切り欠き部９１ａが設けられていること、及び制御ＩＣ７５が充電過電流制御機能を有すること以外は、実施の形態１に係る電池コア１と同様の構成を有する。本実施の形態においては、前記切り欠き部９１ａにより電流路遮断構造が構成される。
【００５６】
本実施の形態においては、上述したように、モールド部７２に設けられた切り欠き部９１ａは、制御ＩＣ７５と放電制御ＦＥＴ７８とを接続する配線（図４の回路図の配線（５））の一部であるワイヤ８４に対向し、交叉するように設けられている。保護回路基板２７に荷重が加わった場合に、モールド部７２に設けられた切り欠き部９１ａに応力が集中し、該切り欠き部９１ａからモールド部７２に割れが生じ、ワイヤ８４が切断されるように構成されている。
【００５７】
ワイヤ８４が切断された場合、放電制御ＦＥＴ７８は制御ＩＣ７５から信号を受けられず、オフ状態を維持するので、電池２は放電することができない。しかし、寄生ダイオード７８ａは、電池２の充電が可能である状態に保持されている。
制御ＩＣ７５は端子ｂ−ｅ間、すなわち寄生ダイオード７８ａの両端電圧を測定する電圧測定回路を有し、該両端電圧が寄生ダイオード７８ａの順方向電圧より低く設定してある閾値を超えた場合に、過電流を検出したとして、充電制御ＦＥＴ７９をオフにする充電過電流制御機能を有している。従って、電池２の充電もできないことになり、電池２の安全性が確保されている。
なお、放電制御ＦＥＴ７８がワイヤ８４の切断によりオフ状態となる前に、電池２を放電しており、制御ＩＣ７５が検出した電池電圧が最低設定電圧よりも低く、放電制御ＦＥＴ７８をオフに切り換える場合には、前記充電過電流制御機能はキャンセルされ、電池２は充電できるように構成されている。
【００５８】
また、本実施の形態においては、切り欠き部９１ａにより、ワイヤ８４が切断される場合につき説明しているがこれに限定されるものではなく、切り欠き部９１ａはワイヤ８３も切断可能である長さを有するものであってもよい。
【００５９】
実施の形態５．
図９（ａ）は、本発明の実施の形態５に係る電池パックの電池コアの保護回路基板３７を示す断面図、図９（ｂ）は、保護回路基板３７を示す平面図である。図中、図３と同一部分は同一符号を付して詳細な説明を省略する。
本実施の形態に係る電池パックの電池コアの保護回路基板３７は、切り欠き部９１に代えて切り欠き部９５が設けられ、制御ＩＣ７５が放電過電流制御機能を有すること以外は、実施の形態１に係る電池コア１と同様の構成を有する。該切り欠き部９５は、制御ＩＣ７５と充電制御ＦＥＴ７９とを接続する配線（図４の回路図の配線（６））の一部であるワイヤ８５に対向し、交叉するように設けられている。本実施の形態においては、前記切り欠き部９５により電流路遮断構造が構成される。
【００６０】
本実施の形態においては、保護回路基板３７に荷重が加わった場合に、モールド部７２に設けられた切り欠き部９５に応力が集中し、該切り欠き部９５からモールド部７２に割れが生じ、ワイヤ８５が切断される。この場合、充電制御ＦＥＴ７９は制御ＩＣ７５から信号を受けられず、オフ状態を維持するので、電池２は充電することができない。しかし、寄生ダイオード７９ａは、電池２の放電が可能である状態に保持される。
制御ＩＣ７５は端子ｂ−ｅ間、すなわち寄生ダイオード７９ａの両端電圧を測定する電圧測定回路を有し、該両端電圧が寄生ダイオード７９ａの順方向電圧より低い閾値を超えた場合に、過電流を検出したとして、放電制御ＦＥＴ７８をオフにする放電過電流制御機能を有している。従って、電池２の放電も不可能であり、電池パックの安全性が確保されている。
【００６１】
なお、充電制御ＦＥＴ７９がワイヤ８５の切断によりオフ状態となる前に、電池２を充電しており、制御ＩＣ７５が検出した電池電圧が最高設定電圧よりも高く、充電制御ＦＥＴ７９をオフに切り換える場合には、前記放電過電流制御機能はキャンセルされ、電池２は放電できるように構成されている。
【００６２】
また、本実施の形態においては、荷重が加わった場合にワイヤ８５を切断するための切り欠き部９５を設けた場合につき説明しているが、これに加えて、実施の形態５に係る切り欠き部９１ａを設けることにしてもよい。この場合、制御ＩＣ７５は過充電制御及び過放電制御機能を有するように構成する。
【００６３】
実施の形態６．
図１０（ａ）は、本発明の実施の形態６に係る電池パックの電池コアの保護回路基板４７を示す側面図、図１０（ｂ）は、保護回路基板４７を示す平面図である。図中、図３と同一部分は同一符号を付して詳細な説明を省略する。
保護回路基板４７の基板７１の中央部より一端部側には、端部より順に、抵抗７６、コンデンサ７７、制御ＩＣ７５、及び抵抗８０が実装されている。そして、基板７１の中央部より他端部側には、充電制御と放電制御との両方の機能を有するＦＥＴ９８が実装されている。すなわち、ＦＥＴ９８は、それぞれ寄生ダイオードを有する、放電制御ＦＥＴと充電制御ＦＥＴとを備えている。
【００６４】
保護回路基板４７の略中央部には、幅方向の外側から内側に向けて、平面視で略三角形状をなす切り欠き部９９，９９が設けられている。切り欠き部９９，９９は、該切り欠き部９９，９９を結ぶ線が、制御ＩＣ７５とＦＥＴ９８の充電制御ＦＥＴとを接続する導体パターンＤ１（図４の回路図の配線（６）の一部）と交叉するように設けられている。
従って、保護回路基板４７に荷重が加わった場合に、切り欠き部９９，９９に応力が集中し、該切り欠き部９９，９９から基板７１に亀裂が生じて、導体パターンＤ１が切断されるように構成されている。本実施の形態においては、前記切り欠き部９９，９９により電流路遮断構造が構成される。
【００６５】
導体パターンＤ１が切断された場合、ＦＥＴ９８は制御ＩＣ７５から信号を受けられず、オフ状態を維持するので、充電ができなくなる。しかし、充電制御ＦＥＴが有する寄生ダイオードは、電池２の放電が可能である状態に保持される。
実施の形態５と同様に、制御ＩＣ７５は端子ｂ−ｅ間、すなわち前記寄生ダイオードの両端電圧を測定する電圧測定回路を有し、該両端電圧が寄生ダイオードの順方向電圧より低い閾値を超えた場合に、過電流を検出したとして、放電制御ＦＥＴをオフにする放電過電流制御機能を有している。従って、電池２の放電も不可能となり、電池パックの安全性が確保されている。
【００６６】
なお、本実施の形態においては、制御ＩＣ７５とＦＥＴ９８の充電制御ＦＥＴとを接続する導体パターンＤ１が切断されるように構成されている場合につき説明しているがこれに限定されるものではなく、図４の回路図における配線（１），（２），（３），（４），（５）の一部に相当する導体パターンＤが切断されるように、基板７１に切り欠き部を設けるものであってもよい。
【００６７】
実施の形態７．
図１１は、本発明の実施の形態７に係る電池パック１１を示す断面図である。図中、図１と同一部分は同一符号を付して詳細な説明を省略する。
本実施の形態に係る電池パック１１は、実施の形態１に係る電池コア１の四側面に、例えばＰＣ製、アクリロニトリルブタジエンスチレン（ＡＢＳ）製等からなり、矩形状を有する外装枠１２を嵌め合わせてなる。
【００６８】
外装枠１２の保護回路基板７が当接される枠辺部には、前記入出力端子７３，７４を露出させる窓部１２ａ，１２ａが設けられている。
前記枠辺部の、前記切り欠き部９１に対応する部分には、突起部１２ｂが設けられている。本実施の形態においては、突起部１２ｂ、切り欠き部９１、及び凹部６ｂ（請求項８の間隙）により電流路遮断構造が構成される。
【００６９】
本実施の形態においては、外装枠１２に荷重が加わった場合に、応力が突起部１２ｂに対応する切り欠き部９１に集中し、該切り欠き部９１からモールド部７２に割れが生じ、ワイヤ８３が切断される。ワイヤ８３が切断された場合、制御ＩＣ７５に電力が供給されないので、放電制御ＦＥＴ７８、及び充電制御ＦＥＴ７９はオンされず、電池２の充放電が不可能となる。従って、電池パック１１の安全性が確保されている。
【００７０】
なお、本実施の形態においては、モールド部７２に切り欠き部９１が設けられている場合につき説明しているがこれに限定されるものではない。切り欠き部９１を設けなくても突起部１２ｂにより応力が突起部１２ｂの内側に集中するので、ワイヤ８３は切断され得る。また、切り欠き部９１は設け、基板ホルダ６の凹部６ｂは設けないことにしてもよい。すなわち、突起部１２ｂに加えて、切り欠き部９１及び凹部６ｂのうちの少なくとも１つを設けてあればよい。
【００７１】
そして、ワイヤ８３が切断されるように突起部１２ｂが構成されている場合につき説明しているがこれに限定されるものではなく、図４の回路図の配線（２），（３），（４），（５），（６）のうちの少なくとも１つに対応するワイヤが断線されるように、突起部１２ｂを設けることにしてもよい。
また、保護回路基板はモールド部を有さず、図４の回路図の配線（１），（２），（３），（４），（５），（６）のうちの少なくとも１つに対応する導体パターンに対応させて、該導体パターンが切断されるように、外装枠１２に突起部１２ｂを設けることにしてもよい。この場合、基板７１に前記導体パターンに対応させて切り欠き部を設けるのが好ましい。
【００７２】
そして、電池コア１の側面を外装枠１２で覆う場合につき説明しているがこれに限定されるものではなく、電池コア１をケースに収容し、該ケースの保護回路基板７が当接される側面に、特定の配線が断線されるように突起部１２ｂを設けることにしてもよい。
【００７３】
なお、前記実施の形態１乃至７においては、モールド部７２に切り欠き部を設ける場合につき説明しているがこれに限定されるものではなく、切り込み部を設けることにしてもよい。
そして、モールド部７２は、エポキシ樹脂からなる場合に限定されず、伸縮性が少ない材質であればよい。
また、前記実施の形態１乃至７においては、半導体スイッチが２つの充電制御ＦＥＴ及び放電制御ＦＥＴからなる場合につき説明しているがこれに限定されず、１つのＦＥＴにより充電制御及び放電制御を行うものであってもよい。そして、制御ＩＣ７５と該ＦＥＴとを接続する配線が切断されるように構成する場合、該ＦＥＴの２つの寄生ダイオードの充電電流又は放電電流が流れないように構成する。
さらに、電池２がリチウムイオン二次電池である場合につき説明しているがこれに限定されるものではなく、ニッケル・水素二次電池、ニッケル・カドミウム二次電池等の他の二次電池であってもよい。
【図面の簡単な説明】
【００７４】
【図１】本発明の実施の形態１に係る電池パックの電池コアを示す一部断面平面図である。
【図２】本発明の実施の形態１に係る電池パックの保護回路基板を示す斜視図である。
【図３】（ａ）は、本発明の実施の形態１に係る電池パックの保護回路基板を示す断面図、（ｂ）は、保護回路基板を示す平面図である。
【図４】本発明の実施の形態１に係る電池パックの電池コアの回路を示す回路図である。
【図５】（ａ）は、本発明の実施の形態２に係る電池パックの保護回路基板を示す断面図、（ｂ）は、保護回路基板を示す平面図である。
【図６】本発明の実施の形態１に係る電池パックの保護回路基板にクラックが生じた場合を示す断面図である。
【図７】（ａ）は、本発明の実施の形態３に係る電池パックの電池コアの保護回路基板を示す断面図、（ｂ）は、保護回路基板を示す平面図である。
【図８】（ａ）は、本発明の実施の形態４に係る電池パックの電池コアの保護回路基板を示す断面図、（ｂ）は、保護回路基板を示す平面図である。
【図９】（ａ）は、本発明の実施の形態５に係る電池パックの電池コアの保護回路基板を示す断面図、（ｂ）は、保護回路基板を示す平面図である。
【図１０】（ａ）は、本発明の実施の形態６に係る電池パックの電池コアの保護回路基板を示す側面図、（ｂ）は、保護回路基板を示す平面図である。
【図１１】本発明の実施の形態７に係る電池パックを示す断面図である。
【図１２】従来の電池パックの電池コアの回路を示す回路図である。
【符号の説明】
【００７５】
１  電池コア
１１  電池パック
２  電池
２１  ケース
２２  蓋部
３  負極端子
４  保護素子
５、８  リード
５ａ  第１リード
５ｂ  第２リード
６  基板ホルダ
６ａ  突起部
６ｂ  凹部
７、１７、２７、３７、４７  保護回路基板
７１  基板
７２  モールド部
７３、７４  入出力端子
７５  制御ＩＣ
７６、８０  抵抗
７７  コンデンサ
７８  放電制御ＦＥＴ
７８ａ、７９ａ  寄生ダイオード
７９  充電制御ＦＥＴ
８１、８２  接続端子
８３、８４、８５、８６、８７、８８、８９、９０  ワイヤ
９１、９１ａ、９２、９３、９４、９５、９６、９９  切り欠き部
９８  ＦＥＴ
９  絶縁テープ
１０  リード取付板
【図１】
2010027518.tif 000003
【図２】
2010027518.tif 000004
【図３】
2010027518.tif 000005
【図４】
2010027518.tif 000006
【図５】
2010027518.tif 000007
【図６】
2010027518.tif 000008
【図７】
2010027518.tif 000009
【図８】
2010027518.tif 000010
【図９】
2010027518.tif 000011
【図１０】
2010027518.tif 000012
【図１１】
2010027518.tif 000013
【図１２】
2010027518.tif 000014